(57)【要約】      （修正有）【課題】時間と共に変化するマルチキャリアマルチユーザシステムにおけるチャネル特性および干渉レベルを同時に推定する方法を提供する。【解決手段】多数のデータシンボルおよび専用パイロットシンボルが、チャネル上で送信される。干渉レベルの初期推定値を選択し、受信パイロットシンボルと一緒に使用してチャネルの第１の推定値を与える。チャネルの第１の推定値は、干渉レベルの新しい更新された値を判断するのに使用され、次に、それが、チャネルの第１の推定値を反復的に更新するのに使用される。干渉レベルおよびチャネルの反復的に更新された値が、所定の範囲を満たすまで、反復は続く。その後で、データシンボルおよびチャネルの最後に更新された値が、チャネルの第２の推定値を与えるために使用される。ＯＦＤＭシステムにおけるチャネル推定および雑音分散が反復的に更新されるときは、ＲＭＭＳＥのアプローチにしたがう。【選択図】図２
2011254494.tif 000002
【特許請求の範囲】
【請求項１】
無線通信システムにおいてチャネルおよび干渉レベルを推定する方法であって、コンピュータで実施される方法は、
前記チャネル上で送信された多数のデータシンボルを受信することと、
前記多数のデータシンボル間に配置され、前記チャネル上で送信された多数の専用パイロットシンボルを受信することと、
前記干渉レベルに対して推定値を割り当てることと、
前記干渉レベルの前記推定値にしたがって、前記受信した専用パイロットシンボルによって定められる、前記チャネルの推定値を判断することと、
前記チャネルの前記推定値および前記受信した専用パイロットシンボルにしたがって、前記干渉レベルの前記推定値を修正することと、
前記干渉レベルの前記修正された推定値にしたがって、前記チャネルの前記推定値を修正することと、
前記干渉レベルおよびチャネルの前記修正された推定値が、所定の条件を満たすまで、前記修正するステップを繰り返すことと、
前記所定の条件を満たしている前記干渉レベルおよび前記チャネルの前記修正された推定値にしたがって、前記受信したデータシンボルによって定められる、前記チャネルの第２の推定値を判断することとを含む方法。
【請求項２】
前記コンピュータで実施される方法が、ＯＦＤＭＡシステムである無線通信システムの順方向リンクを介して受信されるシンボルに適用される請求項１記載の方法。
【請求項３】
前記コンピュータで実施される方法が、ＯＦＤＭＡシステムである無線通信システムの逆方向リンクを介して受信されるシンボルに適用される請求項１記載の方法。
【請求項４】
【数１】
2011254494.tif 000014
【請求項５】
【数２】
2011254494.tif 000015
【請求項６】
前記Ｎｐが、前記ｍよりも、より大きい請求項５記載の方法。
【請求項７】
無線通信システムのチャネルおよび干渉レベルを推定するように適応させられた装置であって、
前記チャネル上で送信された多数のデータシンボルを受信するように適応させられた第１のモジュールと、
前記多数のデータシンボル間に配置され、前記チャネル上で送信された多数の専用パイロットシンボルを受信するように適応させられた第２のモジュールと、
前記干渉レベルに対して推定値を割り当てるように適応させられた第３のモジュールと、
前記干渉レベルの前記推定値にしたがって、前記受信した専用パイロットシンボルによって定められる、前記チャネルの推定値を判断するように適応させられた第４のモジュールと、
前記チャネルの前記推定値および前記受信した専用パイロットシンボルにしたがって、前記干渉レベルの前記推定値を修正するように適応させられた第５の修正モジュールと、
前記干渉値の前記修正された推定値にしたがって、前記チャネルの前記推定値を修正するように適応させられた第６の修正モジュールと、
所定の条件を満たしている前記干渉レベルおよび前記チャネルの前記修正された推定値にしたがって、前記受信したデータシンボルによって定められる、前記チャネルの第２の推定値を判断するように適応させられた第７のモジュールとを含み、前記第５および第６の修正モジュールが、前記干渉レベルおよび前記チャネルの前記修正された推定値が、前記所定の条件を満たすまで、それぞれの修正動作を続けるようにも適応させられている装置。
【請求項８】
前記装置が、ＯＦＤＭＡシステムである無線通信システムの順方向リンクの前記チャネルの第１および第２の推定値を判断するように適応させられている請求項７記載の装置。
【請求項９】
前記装置が、ＯＦＤＭＡシステムである無線通信システムの逆方向リンクの前記チャネルの第１および第２の推定値を判断するように適応させられている請求項７記載の装置。
【請求項１０】
【数３】
2011254494.tif 000016
【請求項１１】
【数４】
2011254494.tif 000017
【請求項１２】
前記Ｎｐが、前記ｍよりも、より大きい請求項７記載の装置。
【請求項１３】
前記第１、第２、第３、第４、第５、第６、および第７のモジュールが、ハードウェアモジュールである請求項７記載の装置。
【請求項１４】
前記第１、第２、第３、第４、第５、第６、および第７のモジュールが、ソフトウェアモジュールである請求項７記載の装置。
【請求項１５】
前記第１、第２、第３、第４、第５、第６、および第７のモジュールが、ソフトウェアおよびハードウェアモジュールを含む請求項７記載の装置。
【請求項１６】
無線通信システムのチャネルおよび干渉値を推定するように適応させられた装置であって、
前記チャネル上で送信された多数のデータシンボルを受信する手段と、
前記多数のデータシンボル間に配置され、前記チャネル上で送信された多数の専用パイロットシンボルを受信する手段と、
前記干渉レベルに対して推定値を割り当てる手段と、
前記干渉の第１の推定値にしたがって、前記受信した専用パイロットシンボルによって定められる、前記チャネルの推定値を判断する手段と、
前記チャネルの前記推定値および前記受信した専用パイロットシンボルにしたがって、前記干渉レベルの前記推定値を修正する手段と、
前記干渉レベルの前記修正された推定値にしたがって、前記チャネルの前記推定値を修正する手段と、
所定の条件を満たしている前記干渉レベルおよび前記チャネルの前記修正された推定値にしたがって、前記受信したデータシンボルによって定められる、前記チャネルの第２の推定値を判断する手段とを含み、前記修正する手段が、前記干渉レベルおよび前記チャネルの前記修正された推定値が、前記所定の条件を満たすまで、それぞれの修正動作を続けるようにも適応させられている装置。
【請求項１７】
前記装置が、ＯＦＤＭＡシステムである無線通信システムの順方向リンクの前記チャネルの第１および第２の推定値を判断するように適応させられている請求項１６記載の装置。
【請求項１８】
前記装置が、ＯＦＤＭＡシステムである無線通信システムの逆方向リンクの前記チャネルの第１および第２の推定値を判断するように適応させられている請求項１６記載の装置。
【請求項１９】
【数５】
2011254494.tif 000018
【請求項２０】
【数６】
2011254494.tif 000019
【請求項２１】
前記Ｎｐが、前記ｍよりも、より大きい請求項１６記載の装置。
【発明の詳細な説明】
【関連出願の相互参照】
【０００１】
本出願は、２００４年１２月２２日に出願された米国仮出願第６０／６３９,１５７号（“Iterative Channel And Interference Estimation With Dedicated Pilot Tones For OFDMA”）、および２００４年７月１６日に出願された米国仮出願第６０／５８８，６４６号（“Iterative Channel and Interference Estimation with Dedicated Pilots”）の米国特許法第１１９条のもとでの恩恵を主張しており、これらの内容は、本明細書において参照によって全体的に取り入れられている。
【技術分野】
【０００２】
本開示は、無線ディジタル通信システム、より詳しくは、このようなシステムにおけるチャネル特性および干渉レベルの推定に関する。
【背景技術】
【０００３】
無線ディジタル通信およびデータ処理システムに対する需要は、増加傾向にある。ほとんどのディジタル通信チャネルに付きまとうものは、データを含んでいるフレーム、パケット、またはセルを転送するときに取り込まれるエラーである。このようなエラーは、電気的干渉または熱雑音によってしばしば引き起こされる。データ送信の誤り率は、部分的に、データを運ぶ媒体に依存する。銅ベースのデータ送信システムの標準ビット誤り率は、１０−６程度である。光ファイバの標準ビット誤り率は、１０−９以下である。他方で、無線送信システムは、１０−３以上の誤り率をもち得る。無線送信システムの比較的に高いビット誤り率は、そのようなシステムを介して送信されたデータの符号化および復号において、ある特定の問題を呈する。一部は、その数学的な取り扱い易さのために、一部は、広範なクラスの物理的通信チャネルへの適用のために、加法的白色ガウス雑音(additive white Gaussian noise, AWGN)モデルが、ほとんどの通信チャネルにおける雑音を特徴付けるのにしばしば使用される。
【０００４】
データは、しばしば、送信機において、制御されたやり方で、冗長を含んで、符号化される。冗長は、チャネルによって送信されている間にデータに取り込まれる雑音および干渉を克服するために、受信機によって後で使用される。例えば、送信機は、ある符号化方式にしたがって、ｋビットをｎビットで符号化し得る（なお、ｎは、ｋよりも大きい）。データの符号化によって取り込まれる冗長の量は、ｎ／ｋの比率によって判断され、この逆は、符号率と呼ばれる。ｎビットの列を表わす符号語は、符号器によって生成され、通信チャネルとインターフェースしている変調器へ送られる。変調器は、各受信系列をシンボルへマップする。Ｍに関するシグナリング（M-ary signaling）において、変調器は、各ｎビットの列を、Ｍ＝２ｎ個のシンボルの１つへマップする。２進形式以外のデータが符号化されることもあるが、一般に、データは、２進数字の列によって表わすことができる。
【０００５】
しばしば、チャネルおよび干渉のレベルを推定することが望まれる。順方向リンク(forward link, FL)上では、共通パイロットシンボルが使用されていることが知られている。直交周波数分割多重化(orthogonal frequency multiplexing, OFDMA)システムでは、このような共通パイロットシンボルは、通常、全ユーザによって共有される帯域幅全体に散在させられている。従来の単一アンテナの送信では、このような共通パイロットシンボルが、ＦＬのチャネル推定のために、全ユーザによって使用され得る。セルラの応用では一般的である帯域幅およびチャネルのコヒーレンス時間値は、共通パイロットトーンをとくに便利に表現する。しかしながら、共通パイロットシンボルは、全ユーザに同報通信され、したがって、ユーザ別の署名（signature）を運ぶように適応させられていない。
【発明の概要】
【０００６】
時間と共に変化するマルチキャリア マルチユーザシステムにおけるチャネル特性および干渉レベルの推定は、同時に行われる。推定を行うために、多数のデータシンボルおよび専用パイロットシンボルが、チャネル上で送信される。次に、干渉レベルの初期推定値が選択される。干渉レベルの初期推定値は、受信パイロットシンボルと一緒に使用され、チャネルの第１の推定値を与える。チャネルの第１の推定値は、干渉レベルの新しい更新された値を判断するのに使用され、次に、その新しい更新された値が、チャネルの第１の推定値を反復的に更新するのに使用される。干渉レベルおよびチャネルの反復的に更新された値が、所定の範囲を満たすまで、反復は続く。その後で、データシンボルおよびチャネルの最後に更新された値が、チャネルの第２の推定値を与えるために使用される。
【数１】
2011254494.tif 000003
【数２】
2011254494.tif 000004
【０００７】
ｍは、周波数および時間におけるチャネルの自由パラメータの数(自由度)を表わすので、ｍは、著しく性能を損なうことなく、Ｎｐよりも、より小さくなるように選択され得る。したがって、１つの実施形態では、ｍは、Ｎｐよりも、２分の１以下に、より小さくなるように選択され得る。別の実施形態では、Ｎｐは、ｍの上限を定め得る。ＯＦＤＭＡシステムの幾つかの実施形態では、ｍは、１０未満であるように選択され得る。部分的に、ｍに影響を与える要素は、一方では、希望の性能であり、他方では、複雑さである。
【図面の簡単な説明】
【０００８】
【図１】１つ以上の無線ネットワークを介して通信するように適応させられた多数の通信デバイスを示す図。
【図２】無線通信システムの送信端に配置されているブロックの幾つかの高レベルのブロック図。
【図３】無線通信システムの受信端に配置されているブロックの幾つかの高レベルのブロック図。
【図４】本開示にしたがって、チャネル特性および干渉レベルの同時推定を可能にするために、データシンボル間に配置されている多数の専用パイロットシンボルを示す図。
【発明を実施するための形態】
【０００９】
本開示にしたがって、時間と共に変化するマルチキャリア マルチユーザＯＦＤＭＡシステムにおけるチャネル特性および干渉レベルの推定は、同時に行われる。本開示にしたがって、チャネルおよび干渉レベルを推定するために、順方向リンク（ＦＬ）送信において、多数のパイロットシンボルが、データシンボルに隣り合って配置される。ＯＦＤＭＡシステムでは、周波数および時間全体におけるチャネルの補間を達成するために、一般に、専用パイロットシンボルが、ユーザのトラヒック帯域内に、ある程度均等に置かれる。共通パイロットシンボル対専用パイロットシンボルの相対帯域幅効率は、共通パイロットで推定される、総共有帯域幅に対応する広帯域チャネルにおける自由度の総数と、ユーザ当たりに割り振られた狭帯域のサブチャネルの自由度の数を、この狭帯域のサブチャネル数によって乗算したものとの比較に関係する。
【００１０】
本開示の１つの態様にしたがう、専用パイロットトーンの使用は、多数の長所を与える。第１に、とくに、干渉レベルが任意の所定のサブチャネル全体で準静的であると仮定され得る同期マルチセル設計において、ユーザのトラヒック帯域幅上に散在させられた専用パイロットトーンは、ユーザによって確認される干渉レベルを推定するのに使用され得る。第２に、専用パイロットシンボルは、適応ビーム形成のような、任意のサブチャネルユーザ センシティブ シグナリング（user sensitive signaling）のチャネル推定を支援し得る。チャネル センシティブ シグナリング(channel sensitive signaling)では、１組の専用パイロットシンボルが、希望のチャネル センシティブ シグナリングにしたがって送信され得る。知られているように、共通パイロットシンボルは、全ユーザに同報通信され、したがって、ユーザ別の署名を運ぶように適応させられていないのに対して、本開示にしたがって、専用パイロットトーンは、ユーザ別の署名を運ぶように適応させられている。
【００１１】
専用パイロットシンボルは、チャネルまたは干渉レベルの何れかの前の推定値なしに、チャネルおよび干渉レベルを同時に、反復的に推定するのに使用される。推定を行うアルゴリズムは、ある経験的干渉レベル値に基づくロバスト最小平均二乗誤差推定(robust minimum mean squared error estimation, RMMSE）ステップと、干渉推定ステップとを交互に行う。とくに指示されていないならば、別途記載される各スカラ量、ベクトル成分、または行列要素は、複素数であり得ることが分かる。本明細書において英数字記号を使用した標示付け（labeling）の仕様は、イタリック体記号によってスカラ量、小文字の太字記号によってベクトル、および大文字の太字記号によって行列を表わす。
【００１２】
図１は、示されているように、送信機／受信機12、14と送信機／受信機16、18との間の通信に使用されている無線ネットワーク10の例を示している。送信機／受信機12、14、16、18の各々は、１本または多数本の送信／受信アンテナをもち得る。別々の送信および受信アンテナが示されているが、アンテナは、信号の送信および受信の両者に使用され得る。信号が送信されるチャネルを形成する自由空間媒体は、しばしば雑音が入り、受信信号に影響を与える。雑音による干渉レベルおよび送信チャネルの特性の推定が、受信機においてしばしば行われる。
【００１３】
図２は、無線送信システム100の送信端の単純化されたブロック図である。無線送信システムは、一部に、符号器110、空間−周波数インターリーバ120、変調器130、160、ＯＦＤＭＡブロック140、170、および送信アンテナ150、180を含んでいるように示されている。変調器130、ＯＦＤＭＡブロック140、および送信アンテナ150は、第１の送信経路115に配置されており、変調器160、ＯＦＤＭＡブロック170、および送信アンテナ180は、第２の送信経路125に配置されている。無線送信システムの例示的な実施形態100は、２本の送信経路のみを含んでいるように示されているが、無線送信システム100は、３本以上の送信経路を含み得ると理解される。送信アンテナ150、180によって送信されたデータは、無線受信システムの１本以上のアンテナによって受信される。
【００１４】
図３は、無線送信システム200の受信端の実施形態の単純化されたブロック図である。無線送信システム200は、一部に、受信アンテナ205、255、フロントエンド（front-end, FE）ブロック210、260、復調器215、265、空間−周波数デインターリーバ220、270、および復号器225、285を含んでいるように示されている。無線送信システム200は、１対の受信送信経路を含んでいるように示されているが、無線送信システム200は、３本以上の送信経路を含み得ると理解される。
【００１５】
次のアルゴリズムは、無線通信システムの順方向リンク(forward link, FL)または逆方向リンク(reverse link, RL)の何れかを介して送信されたパイロットトーンを使用して、チャネルおよび干渉レベルの推定値を与える。ｆｓ分の間隔を置いたＮ個の直交変調シンボルをもつＯＦＤＭＡ送信を仮定する。送信機は、図４によって示されているような、受信機に分かっている、所与の時間周波数パターンで、パイロットシンボルを送ると仮定する。さらに加えて、所与のユーザは、チャネルおよび干渉レベルを推定するために一緒に使用されるＮｄ個のデータ（すなわち、トラヒック）シンボルとＮｐ個のパイロットシンボルとを含むサブチャネルを割り当てられると仮定する。このサブチャネル内の各シンボルは、対（ｋ，ｎ）によって特徴付けられるように定められ、なお、ｋは、トーンの表示（０≦ｋ＜Ｎ）を表わし、ｎは、ＯＦＤＭＡシンボルの表示を表わす。
【００１６】
ＲＭＭＳＥの基礎となる理論を次に簡潔に記載する。ＳｄおよびＳｐは、それぞれ、トラヒックおよび専用パイロットシンボルに関係する全トーン／ＯＦＤＭＡシンボルの対の組を示すと仮定する。さらに加えて、Ｈは、トラヒックおよびパイロットシンボルを含むＮｓ＝（Ｎｄ＋Ｎｐ）個のシンボルの組全体に対応する、周波数領域における、複素チャネルの振幅のＮｓ×１のベクトルであると仮定する。したがって、Ｈは、次のように定められ得る。
【数３】
2011254494.tif 000005
【００１７】
一般性を損なうことなく、Ｈの最初のＮｐのエントリ、すなわち、Η（ｐ）は、パイロットシンボルに対応し、一方で、Ｈの残りのＮｄのエントリ、すなわち、Ｈ（ｄ）は、トラヒックシンボルに対応する。したがって、二次チャネルモデルおよび観測モデルは、次のように定められ得る。
【数４】
2011254494.tif 000006
【００１８】
なお、Ｅｐは、パイロットシンボル当たりのパイロットエネルギであり、Ｉ０は、パイロット／トラヒックシンボル当たりの結合された干渉および雑音エネルギであり、ｎは、ゼロ平均単位の分散循環ガウスで全く同じように分布させられた独立であると仮定される正規化された干渉であり、Ｒは、チャネルの予想されるＮｓ×Ｎｓの共分散行列である。式（１）において、単純化のために、パイロットシンボルは、単位値をもつ仮定され、例えば、パイロット値は、定数の係数（ＰＳＫ）である。
【００１９】
次に示されているように、式（１）は、それぞれ、パイロットおよびトラヒックチャネルのための最小平均二乗誤差(minimum mean squared error, MMSE)の推定値を与える。
【数５】
2011254494.tif 000007
【００２０】
干渉レベルＩ０が、受信機において分かっているとき、式（２）は、希望のトラヒックチャネルの推定値を与える。推定値の精度は、Ｉ０の値に依存する。Ｉ０を過大に推定すると、さらなる平均化を強要し、それによって、時間／周波数におけるチャネルの非相関の影響を高めることになる。Ｉ０を過小に推定すると、干渉の寄与を増加させることになる。したがって、とくに、パイロットのオーバーヘッド(Ｎｐ)が小さいときは、Ｉ０の知識がより正確になると、チャネルの推定がより正確になる。
【数６】
2011254494.tif 000008
【数７】
2011254494.tif 000009
【表１】
2011254494.tif 000010
【００２１】
テーブルＩにおける反復手続きの収束は、ある特定の問題を呈し得る。更新の非線形の形のために、安定性の解析は、解決困難になり得る。統計上の振る舞いにおける幾つかの発見的な要旨は、次の通りである。第１に、チャネルおよび干渉の両者の推定誤差の分散は、単調な振る舞いを示す。チャネル推定誤差の分散の低減は、干渉電力の推定誤差の低減をもたらし得る。同様に、より正確な干渉電力の推定は、チャネル推定の精度を向上し得る。
【数８】
2011254494.tif 000011
【数９】
2011254494.tif 000012
【００２２】
式（７）において、Ｕは、Ｒｐｐのｍ個の主要成分に対応する固有ベクトルのＮｐ×ｍのユニタリー行列であり、Λは、関係付けられた非ゼロの固有値のｍ×ｍの対角行列であり、ｍは、Ｒｐｐの数値の階数である。
【００２３】
次のテーブルＩＩは、本開示にしたがって、式（７）とテーブルＩに示されているアルゴリズムとを組み合わせることによって得られ、関連代数を行うアルゴリズムを定めている擬似コードおよび関係付けられた数式である。
【表２】
2011254494.tif 000013
【００２４】
対角行列の反転は、ｍのスカラー反転に相当する。行列ＢおよびＵと関係付けられた値を記憶するのに、比較的大量のメモリが使用され得る。このメモリ要求は、Ｒｐｐの主要成分と関係付けられた数ｍを切り捨てることによって低減され得る。ｍは、周波数および時間におけるチャネルの自由パラメータの数(自由度)を表わすので、ｍは、著しく性能を損なうことなく、Ｎｐよりも、より小さくなるように選択され得る。したがって、１つの実施形態において、ｍは、Ｎｐの２分の１以下に、より小さくなるように選択される。他の実施形態では、Ｎｐは、ｍの上限であり得る。ＯＦＤＭＡシステムの幾つかの実施形態において、ｍは、１０未満であるように選択され得る。ｍに影響を与える要素は、一方では、希望の性能であり、他方では、複雑さである。
【００２５】
チャネルおよび干渉レベルの推定は、プログラムを形成し、例えば、中央処理ユニットによって命令／データとして実行される１つ以上のソフトウェアモジュールの種々のコードを使用して、または、チャネルおよび干渉レベルを判断するために、特別に構成された専用のハードウェアモジュールを使用して実行され得る。その代わりに、両者の実施形態において、チャネルおよび干渉レベルの推定は、ソフトウェアおよびハードウェアモジュールの組合せを使用して実行され得る。
【００２６】
本明細書に記載されている技術は、種々の手段によって実施され得る。例えば、これらの技術は、ハードウェア、ソフトウェア、またはそれらの組合せにおいて実施され得る。ハードウェアの実施では、チャネル推定に使用される処理ユニットは、１つ以上の特定用途向け集積回路（application specific integrated circuit, ASIC）、ディジタル信号プロセッサ（digital signal processor, DSP）、ディジタル信号処理デバイス（digital signal processing device, DSPD）、プログラマブル論理デバイス（programmable logic devices, PLD）、フィールドプログラマブルゲートアレイ（field programmable gate array, FPGA）、プロセッサ、制御装置、マイクロ制御装置、マイクロプロセッサ、本明細書に記載されている機能を行うように設計された他の電子ユニット、またはその組合せの中で実施され得る。ソフトウェアでは、本明細書に記載されている機能を行うモジュール（例えば、手続き、機能、等）を介して実施することができる。
【００２７】
上述で記載されたものは、１つ以上の実施形態の例を含む。もちろん、上述の実施形態を記載するために、構成要素または方法（methodology）の全ての考えられる組合せを記載することは不可能であるが、当技術において普通の技能をもつ者には、種々の実施形態の多くの別の組合せおよび並べ替えが可能であることが分かり得る。したがって、記載された実施形態は、本発明の特許請求項の意図および範囲の中に入る変更、修正、およびバリエーションを全て含むことを意図されている。さらに加えて、“含む（include）”という用語が、詳細な記述または請求項の何れかにおいて使用されている限り、このような用語は、“含む（comprising）”が、特許請求項において承接の単語（transitional word）として使用されているときに解釈されるときの“含む（comprising）”という用語と同様に包含的（inclusive）であることを意図している。
【図１】
2011254494.tif 000020
【図２】
2011254494.tif 000021
【図３】
2011254494.tif 000022
【図４】
2011254494.tif 000023
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
無線通信システムにおいてチャネルおよび干渉レベルを推定する方法であって、
前記チャネル上で送信された多数のデータシンボルを受信することと、
前記多数のデータシンボル間に配置され、前記チャネル上で送信された多数の専用パイロットシンボルを受信することであって、前記多数の専用パイロットシンボルが、ユーザ別の署名を運ぶように適応させられていることと、
周波数領域における前記干渉レベルに対して推定値を割り当てることと、
前記干渉レベルの前記推定値にしたがって、前記受信した専用パイロットシンボルによって定められる、前記周波数領域における前記チャネルの第１の推定値を判断することと、
前記チャネルの前記第１の推定値および前記受信した専用パイロットシンボルにしたがって、前記干渉レベルの前記推定値を修正することと、
前記干渉レベルの前記修正された推定値にしたがって、前記チャネルの前記第１の推定値を修正することと、
前記干渉レベルおよびチャネルの前記修正された推定値が、所定の条件を満たすまで、前記修正するステップを繰り返すことと、
前記所定の条件を満たしている前記干渉レベルおよび前記チャネルの前記修正された推定値にしたがって、前記受信したデータシンボルによって定められる、前記周波数領域における前記チャネルの第２の推定値を判断することとを含む方法。
【請求項２】
前記方法が、ＯＦＤＭＡシステムである無線通信システムの順方向リンクを介して受信されるシンボルに適用される請求項１記載の方法。
【請求項３】
前記方法が、ＯＦＤＭＡシステムである無線通信システムの逆方向リンクを介して受信されるシンボルに適用される請求項１記載の方法。
【請求項４】
無線通信システムのチャネルおよび干渉レベルを推定するように適応させられた装置であって、
前記チャネル上で送信された多数のデータシンボルを受信するように適応させられた第１のモジュールと、
前記多数のデータシンボル間に配置され、前記チャネル上で送信された多数の専用パイロットシンボルを受信するように適応させられた第２のモジュールであって、前記多数の専用パイロットシンボルが、ユーザ別の署名を運ぶように適応させられている第２のモジュールと、
周波数領域における前記干渉レベルに対して推定値を割り当てるように適応させられた第３のモジュールと、
前記干渉レベルの前記推定値にしたがって、前記受信した専用パイロットシンボルによって定められる、前記周波数領域における前記チャネルの第１の推定値を判断するように適応させられた第４のモジュールと、
前記チャネルの前記第１の推定値および前記受信した専用パイロットシンボルにしたがって、前記干渉レベルの前記推定値を修正するように適応させられた第５の修正モジュールと、
前記干渉値の前記修正された推定値にしたがって、前記チャネルの前記第１の推定値を修正するように適応させられた第６の修正モジュールと、
所定の条件を満たしている前記干渉レベルおよび前記チャネルの前記修正された推定値にしたがって、前記受信したデータシンボルによって定められる、前記周波数領域における前記チャネルの第２の推定値を判断するように適応させられた第７のモジュールとを含み、前記第５および第６の修正モジュールが、前記干渉レベルおよび前記チャネルの前記修正された推定値が、前記所定の条件を満たすまで、それぞれの修正動作を続けるようにも適応させられている装置。
【請求項５】
前記装置が、ＯＦＤＭＡシステムである無線通信システムの順方向リンクの前記チャネルの前記第１および第２の推定値を判断するように適応させられている請求項４記載の装置。
【請求項６】
前記装置が、ＯＦＤＭＡシステムである無線通信システムの逆方向リンクの前記チャネルの前記第１および第２の推定値を判断するように適応させられている請求項４記載の装置。
【請求項７】
前記第１、第２、第３、第４、第５、第６、および第７のモジュールが、ハードウェアモジュールである請求項４記載の装置。
【請求項８】
前記第１、第２、第３、第４、第５、第６、および第７のモジュールが、ソフトウェアモジュールである請求項４記載の装置。
【請求項９】
前記第１、第２、第３、第４、第５、第６、および第７のモジュールが、ソフトウェアおよびハードウェアモジュールを含む請求項４記載の装置。
【請求項１０】
無線通信システムのチャネルおよび干渉値を推定するように適応させられた装置であって、
前記チャネル上で送信された多数のデータシンボルを受信する手段と、
前記多数のデータシンボル間に配置され、前記チャネル上で送信された多数の専用パイロットシンボルを受信する手段であって、前記多数の専用パイロットシンボルが、ユーザ別の署名を運ぶように適応させられている、受信する手段と、
周波数領域における前記干渉レベルに対して推定値を割り当てる手段と、
前記干渉の第１の推定値にしたがって、前記受信した専用パイロットシンボルによって定められる、前記周波数領域における前記チャネルの第１の推定値を判断する手段と、
前記チャネルの前記第１の推定値および前記受信した専用パイロットシンボルにしたがって、前記干渉レベルの前記推定値を修正する手段と、
前記干渉レベルの前記修正された推定値にしたがって、前記チャネルの前記第１の推定値を修正する手段と、
所定の条件を満たしている前記干渉レベルおよび前記チャネルの前記修正された推定値にしたがって、前記受信したデータシンボルによって定められる、前記周波数領域における前記チャネルの第２の推定値を判断する手段とを含み、前記修正する手段が、前記干渉レベルおよび前記チャネルの前記修正された推定値が、前記所定の条件を満たすまで、それぞれの修正動作を続けるようにも適応させられている装置。
【請求項１１】
前記装置が、ＯＦＤＭＡシステムである無線通信システムの順方向リンクの前記チャネルの前記第１および第２の推定値を判断するように適応させられている請求項１０記載の装置。
【請求項１２】
前記装置が、ＯＦＤＭＡシステムである無線通信システムの逆方向リンクの前記チャネルの前記第１および第２の推定値を判断するように適応させられている請求項１０記載の装置。
【手続補正２】
【補正対象書類名】明細書
【補正対象項目名】００２７
【補正方法】変更
【補正の内容】
【００２７】
上述で記載されたものは、１つ以上の実施形態の例を含む。もちろん、上述の実施形態を記載するために、構成要素または方法（methodology）の全ての考えられる組合せを記載することは不可能であるが、当技術において普通の技能をもつ者には、種々の実施形態の多くの別の組合せおよび並べ替えが可能であることが分かり得る。したがって、記載された実施形態は、本発明の特許請求項の意図および範囲の中に入る変更、修正、およびバリエーションを全て含むことを意図されている。さらに加えて、“含む（include）”という用語が、詳細な記述または請求項の何れかにおいて使用されている限り、このような用語は、“含む（comprising）”が、特許請求項において承接の単語（transitional word）として使用されているときに解釈されるときの“含む（comprising）”という用語と同様に包含的（inclusive）であることを意図している。
以下に、本願出願の当初の特許請求の範囲に記載された発明を付記する。
［１］  無線通信システムにおいてチャネルおよび干渉レベルを推定する方法であって、コンピュータで実施される方法は、
前記チャネル上で送信された多数のデータシンボルを受信することと、
前記多数のデータシンボル間に配置され、前記チャネル上で送信された多数の専用パイロットシンボルを受信することと、
前記干渉レベルに対して推定値を割り当てることと、
前記干渉レベルの前記推定値にしたがって、前記受信した専用パイロットシンボルによって定められる、前記チャネルの推定値を判断することと、
前記チャネルの前記推定値および前記受信した専用パイロットシンボルにしたがって、前記干渉レベルの前記推定値を修正することと、
前記干渉レベルの前記修正された推定値にしたがって、前記チャネルの前記推定値を修正することと、
前記干渉レベルおよびチャネルの前記修正された推定値が、所定の条件を満たすまで、前記修正するステップを繰り返すことと、
前記所定の条件を満たしている前記干渉レベルおよび前記チャネルの前記修正された推定値にしたがって、前記受信したデータシンボルによって定められる、前記チャネルの第２の推定値を判断することとを含む方法。
［２］  前記コンピュータで実施される方法が、ＯＦＤＭＡシステムである無線通信システムの順方向リンクを介して受信されるシンボルに適用される上記［１］記載の方法。
［３］  前記コンピュータで実施される方法が、ＯＦＤＭＡシステムである無線通信システムの逆方向リンクを介して受信されるシンボルに適用される上記［１］記載の方法。
［４］
【数１０】
2011254494.tif 000024
［５］
【数１１】
2011254494.tif 000025
［６］  前記Ｎｐが、前記ｍよりも、より大きい上記［５］記載の方法。
［７］  無線通信システムのチャネルおよび干渉レベルを推定するように適応させられた装置であって、
前記チャネル上で送信された多数のデータシンボルを受信するように適応させられた第１のモジュールと、
前記多数のデータシンボル間に配置され、前記チャネル上で送信された多数の専用パイロットシンボルを受信するように適応させられた第２のモジュールと、
前記干渉レベルに対して推定値を割り当てるように適応させられた第３のモジュールと、
前記干渉レベルの前記推定値にしたがって、前記受信した専用パイロットシンボルによって定められる、前記チャネルの推定値を判断するように適応させられた第４のモジュールと、
前記チャネルの前記推定値および前記受信した専用パイロットシンボルにしたがって、前記干渉レベルの前記推定値を修正するように適応させられた第５の修正モジュールと、
前記干渉値の前記修正された推定値にしたがって、前記チャネルの前記推定値を修正するように適応させられた第６の修正モジュールと、
所定の条件を満たしている前記干渉レベルおよび前記チャネルの前記修正された推定値にしたがって、前記受信したデータシンボルによって定められる、前記チャネルの第２の推定値を判断するように適応させられた第７のモジュールとを含み、前記第５および第６の修正モジュールが、前記干渉レベルおよび前記チャネルの前記修正された推定値が、前記所定の条件を満たすまで、それぞれの修正動作を続けるようにも適応させられている装置。
［８］  前記装置が、ＯＦＤＭＡシステムである無線通信システムの順方向リンクの前記チャネルの第１および第２の推定値を判断するように適応させられている上記［７］記載の装置。
［９］  前記装置が、ＯＦＤＭＡシステムである無線通信システムの逆方向リンクの前記チャネルの第１および第２の推定値を判断するように適応させられている上記［７］記載の装置。
［１０］
【数１２】
2011254494.tif 000026
［１１］
【数１３】
2011254494.tif 000027
［１２］  前記Ｎｐが、前記ｍよりも、より大きい上記［７］記載の装置。
［１３］  前記第１、第２、第３、第４、第５、第６、および第７のモジュールが、ハードウェアモジュールである上記［７］記載の装置。
［１４］  前記第１、第２、第３、第４、第５、第６、および第７のモジュールが、ソフトウェアモジュールである上記［７］記載の装置。
［１５］  前記第１、第２、第３、第４、第５、第６、および第７のモジュールが、ソフトウェアおよびハードウェアモジュールを含む上記［７］記載の装置。
［１６］  無線通信システムのチャネルおよび干渉値を推定するように適応させられた装置であって、
前記チャネル上で送信された多数のデータシンボルを受信する手段と、
前記多数のデータシンボル間に配置され、前記チャネル上で送信された多数の専用パイロットシンボルを受信する手段と、
前記干渉レベルに対して推定値を割り当てる手段と、
前記干渉の第１の推定値にしたがって、前記受信した専用パイロットシンボルによって定められる、前記チャネルの推定値を判断する手段と、
前記チャネルの前記推定値および前記受信した専用パイロットシンボルにしたがって、前記干渉レベルの前記推定値を修正する手段と、
前記干渉レベルの前記修正された推定値にしたがって、前記チャネルの前記推定値を修正する手段と、
所定の条件を満たしている前記干渉レベルおよび前記チャネルの前記修正された推定値にしたがって、前記受信したデータシンボルによって定められる、前記チャネルの第２の推定値を判断する手段とを含み、前記修正する手段が、前記干渉レベルおよび前記チャネルの前記修正された推定値が、前記所定の条件を満たすまで、それぞれの修正動作を続けるようにも適応させられている装置。
［１７］  前記装置が、ＯＦＤＭＡシステムである無線通信システムの順方向リンクの前記チャネルの第１および第２の推定値を判断するように適応させられている上記［１６］記載の装置。
［１８］  前記装置が、ＯＦＤＭＡシステムである無線通信システムの逆方向リンクの前記チャネルの第１および第２の推定値を判断するように適応させられている上記［１６］記載の装置。
［１９］
【数１４】
2011254494.tif 000028
［２０］
【数１５】
2011254494.tif 000029
［２１］
前記Ｎｐが、前記ｍよりも、より大きい上記［１６］記載の装置。
【外国語明細書】
2011254494000001.pdf